(57)【要約】【課題】使用時に組み立てた袋状のパッドの上端開口部から男性器官が外れるのを抑えられるようにした男性用使い捨ておむつを提供する。【解決手段】液透過性の内面シート２と、液不透過性の外面シート３と、これら両シート間に配設される液吸収体４とが一体に形成されて中央吸収体部５を備えた縦長矩形状のおむつ本体１を構成する。中央吸収体部５の長手方向に沿った両側に横漏れ防止用のガードフラップ６を対設すると共に、前記おむつ本体１の一方の端部近傍に、おむつ本体１の両端部を男性器官に当てて保持するための保持具１０を取り付ける。剥離紙９によって被覆されたずれ防止用の粘着部８を設けても良い。【選択図】図１
2007159714.tif 000002
【特許請求の範囲】
【請求項１】
液透過性の内面シートと、液不透過性の外面シートと、これら両シート間に配設される液吸収体とが一体に形成されて中央吸収体部を備えた縦長矩形状のおむつ本体が構成され、前記中央吸収体部の長手方向に沿った両側に横漏れ防止用のガードフラップが対設され、前記おむつ本体の一方の端部近傍に、おむつ本体の両端部を男性器官に当てて保持するための保持具が取り付けられていることを特徴とする男性用使い捨ておむつ。
【請求項２】
前記保持具は塑性変形可能な材料で紐状又は帯板状に形成され、前記おむつ本体の幅方向に沿って取り付けられていることを特徴とする請求項１に記載の男性用使い捨ておむつ。
【請求項３】
前記保持具は、長さ５０〜１８０ｍｍ、幅１〜１０ｍｍ、厚さ０．５〜４ｍｍであることを特徴とする請求項２に記載の男性用使い捨ておむつ。
【発明の詳細な説明】
【技術分野】
【０００１】
本発明は、一般に「尿とりパッド」と称される男性用使い捨ておむつに関する。
【背景技術】
【０００２】
高齢者男性の失禁対策或いは介護のために、男性器官に装着して尿とりパッドとして使用される男性用使い捨ておむつが従来知られている。例えば、特許文献１に開示されている男性用使い捨ておむつは、液透過性のトップシートと、液不透過性のバックシートと、これら両シート間に配置される吸収体とを具備し、実質的に縦長に形成されてなり、幅方向中央部に位置する中央吸収部、及びこの中央吸収部の長手方向の両側にそれぞれ位置する一対のサイドフラップを有する男性用使い捨ておむつであって、一方のサイドフラップに撥水性部材が敷設され、この撥水性部材の表面に細帯状のおむつ組み立て用の固着部がおむつの長手方向に沿って設けられており、その固着部は一端がおむつの一端縁の近傍に位置し、且つその他端がおむつの長手方向に対する中心線よりもおむつの他端側に位置するように設けられ、上記中央吸収部におけるバックシートの表面におむつ固定用の粘着部が設けられ、上記固着部及び粘着部はそれぞれ剥離紙により被覆されている構成のものである。そして、この男性用使い捨ておむつは、剥離紙を剥がして固着部を露出させた後、長手方向の真ん中近傍を中心線としておむつの一端側を内側に斜めに折り畳み、次いでおむつの他端側を先に折り畳んだ端部の折曲縁部に沿うように折り返して固着部を貼り付けることで先の尖ったほぼ三角形状の袋体に組み立て、更に剥離紙を剥がして前記粘着部を露出させることにより他のおむつ又は下着に貼り付けて使用に供する。
【０００３】
特許文献２においても、特許文献１のものと構成が基本的に類似する形態の男性用使い捨ておむつが開示されている。更に、特許文献３に開示されている男性用使い捨ておむつは、液透過性のトップシート、液不透過性のバックシート及びこれら両シート間に配置される吸収体により形成された中央吸収体部と、この中央吸収体部の長手方向の両側に位置する一対のサイドフラップと、中央吸収体部の長手方向の両側縁に位置し、トップシート及びバックシートにより形成された一対の端縁部とを有する吸収性本体からなり、この吸収性本体の長手方向の中央部を折り曲げ部として長手方向に二つ折りにされ、互いに当接するサイドフラップが固着されてほぼカップ形状の袋体に構成されたものである。
【特許文献１】特許第３５１９１９２号公報
【特許文献２】特許第３５５８７３４号公報
【特許文献３】特開平９−１９４５２号公報
【発明の開示】
【発明が解決しようとする課題】
【０００４】
上記従来例の男性用使い捨ておむつは、使用時には三角形状又はカップ形状に組み立てられた袋体（パッド）を男性器官に装着し、且つパッドに設けた粘着部を介して他のおむつや下着に貼着することでずれ防止を図るようにしている。しかしながら、男性器官を挿入するパッドの上端開口部が上方に向けて拡大しているため、歩行等の動きに伴って男性器官が外れる事態が発生し、パッドにより確実に尿受けできないという問題点があった。パッドの上端開口部には弾性部材を介在させてギャザー状に形成した収縮部が位置するようにして、上端開口部の上方への拡がりを小さく抑えるように配慮してあるが、現実には男性器官の外れを防ぐまでには到っていない。又、パッドを他のおむつや下着に貼り付けるための粘着部は、パッドの交換時には容易に剥がせるようにするため粘着力を比較的弱めに設定してある。このため、静止状態においてはパッドのずれ防止を発揮できるとは言え、身動き状態ではパッドがずれたり粘着部が剥離したりすることがある。このような事態が生じると、男性器官が外れてパッドにより確実に尿受けできないことになる。
【０００５】
本発明は、このような従来の男性用使い捨ておむつにおける問題点を解決するためになされ、使用時に組み立てられたパッドの上端開口部から男性器官が外れるのを抑えられるようにした男性用使い捨ておむつを提供することを目的とする。
【課題を解決するための手段】
【０００６】
上記の目的を達成するための手段として、請求項１の男性用使い捨ておむつは、液透過性の内面シートと、液不透過性の外面シートと、これら両シート間に配設される液吸収体とが一体に形成されて中央吸収体部を備えた縦長矩形状のおむつ本体が構成され、前記中央吸収体部の長手方向に沿った両側に横漏れ防止用のガードフラップが対設され、前記おむつ本体の一方の端部近傍に、おむつ本体の両端部を男性器官に当てて保持するための保持具が取り付けられていることを特徴とする。
【０００７】
請求項２の男性用使い捨ておむつは、請求項１に記載の男性用使い捨ておむつにおいて、前記保持具は塑性変形可能な材料で紐状又は帯板状に形成され、前記おむつ本体の幅方向に沿って取り付けられていることを特徴とする。
【０００８】
請求項３の男性用使い捨ておむつは、請求項２に記載の男性用使い捨ておむつにおいて、前記保持具は、長さ５０〜１８０ｍｍ、幅１〜１０ｍｍ、厚さ０．５〜４ｍｍであることを特徴とする。
【発明の効果】
【０００９】
上記請求項１の発明によれば、縦長矩形状のおむつ本体において保持具が取り付けられてない側の端縁部を男性器官（陰茎）の裏側に当てて略半円弧状に丸め、この状態を保持して保持具が取り付けられている側の端部を内側に折り込んでおむつ本体を二つ折り状態にし、更に保持具側の端縁部を男性器官の表側に当てて略半円弧状に丸めると共に、保持具を男性器官の円周方向に沿って塑性変形させ、この保持具によりおむつ本体の対向する略半円弧状端部を押さえ込むようにして男性器官に巻き付けることでおむつ本体を装着することができる。これにより、ほぼ筒形袋状の尿とりパッドが組み立てられ、このパッドは上端開口部が男性器官に対して保持具を介して保持されているため男性器官が外れ難くなり、且つ歩行等の動きに伴ってパッドが位置ずれしても男性器官は殆ど外れない。従って、このパッドにより確実に尿受けすることができる。又、おむつ本体の両側部には横漏れ防止用のガイドフラップが設けられており、ほぼ二つ折りされてパッドが組み立てられた時に、おむつ本体の両側部が内側に折り込まれて二重構造となり、且つ一対のガイドフラップも二つ折り状態でそれぞれ二重構造を呈するため、パッドの両側部から尿漏れすることはない。更に、保持具は男性器官に対して直接じかに接触するものではなく、おむつ本体の端部の上から巻き付けるものであるから、痛さを感じることはなく男性器官を傷付けることもない。
【００１０】
上記請求項２の発明によれば、前記保持具は塑性変形可能な材料で紐状又は帯板状に形成され、おむつ本体の幅方向に沿って取り付けられているため、保持具の巻き付けに際して弱い力で簡単に丸めることができ、且つパッドの交換に際しては保持具を弱い力で簡単に開くことができる。これにより、おむつ本体の装着及び交換作業を容易に行うことができ、取り扱い上便利である。
【００１１】
上記請求項３の発明によれば、前記保持具は、長さ５０〜１８０ｍｍ、幅１〜１０ｍｍ、厚さ０．５〜４ｍｍに設定されているため、二つ折りしたおむつ本体の両端部をそれぞれ略半円弧状に丸めて男性器官に当てがい、その外周を保持具により固定するのに充分な寸法を備えており、紐状又は帯板状を呈することからおむつ本体の使用者に大きな違和感を与えることはなく、邪魔になることも殆どない。
【発明を実施するための最良の形態】
【００１２】
次に、本発明の一実施形態について添付図面を参照しながら説明する。図１は本発明に係る男性用使い捨ておむつの実施形態を示すもので、（ａ）は内面側から見た平面図であり、（ｂ）は外面側から見た平面図である。図２は図１（ａ）におけるＸ−Ｘ線に沿った断面図であり、図３は図１（ｂ）におけるＹ−Ｙ線に沿った断面図である。図４は本発明に係る男性用使い捨ておむつを男性器官に装着する時の状態を模式的に示す斜視図であり、図５は本発明に係る男性用使い捨ておむつを男性器官に装着してパッドを組み立てた状態を模式的に示す斜視図である。
【００１３】
図１において、１はおむつ本体を示しており、液透過性の内面シート２と、液不透過性の外面シート３と、これら両シート間に配設される液吸収体４とが一体に形成されて中央吸収体部５を備えた縦長矩形状に構成されている。おむつ本体の１の大きさは、例えば長手方向３５０〜５３０ｍｍ、幅方向１６０〜２１０ｍｍに設定されている。
【００１４】
液透過性の内面シート２は、例えば織布、不織布、多孔性の軟質樹脂フィルム等を使用することができ、周縁部には撥水処理を施して尿が染み出さないようにすることが望ましい。液不透過性の外面シート３は、例えばポリエチレン等の軟質樹脂フィルムを用いることができ、好ましくは熱可塑性樹脂を延伸加工し且つエンボス処理を施すことにより感触の良いものとし、更に好ましくは通気性を具備するように形成する。液吸収体４は、例えばパルプを主材として高分子吸水ポリマーを併用したものが好ましく、その他熱可塑性樹脂、セルロース繊維、高分子吸収ポリマーの混合物を熱処理したものが良い。高分子吸水ポリマーは、自重の２０倍以上の液体を吸収して保持する性能を有し、ゲル化する性質を有する粒子状のものが好ましい。
【００１５】
おむつ本体１の外周部は、内面シート２と外面シート３とを合着することにより塞がれており、液吸収体４により吸収した尿がおむつ本体１の外周部から漏れ出ないようにしてある。又、図１（ａ）及び図２に示すように内面シート２の両側部における立上部分の先端に横漏れ防止用のガイドフラップ６が、おむつ本体１の長手方向に沿って対設されており、これらのガイドフラップ６内に糸状の細い弾性体７を、当該ガイドフラップ６の長手方向に沿って複数本（図示の例では２本）挿着することによりギャザー状の伸縮部６ａをそれぞれ形成してある。弾性体７は例えば細いゴム糸を使用することができ、ギャザー状の伸縮部６ａの収縮力によって両側のガイドフラップ６を、図２に仮想線で示すようにそれぞれ外側に向けて斜めに立ち上げた状態にすることができる。このギャザー状の伸縮部６ａは、ガイドフラップ６の全長にわたって設けられずに、図１（ａ）に示すようにガイドフラップ６の上下端部（約５０〜６０ｍｍ）をそれぞれ除いた中央領域に設けられている。
【００１６】
おむつ本体１の外面側には、図１（ｂ）及び図３に示すようにおむつ本体１の上端寄りの中央近傍における外面シート３の表面にずれ防止用の粘着部８が、約５０ｍｍ×５０ｍｍの大きさに設けられ、その上に薄い剥離紙９が貼着されている。粘着部８は例えばゴム系ホットメルト接着剤等の粘着材を塗布することにより形成することができ、粘着材の粘着力はおむつ本体１の交換時の容易性を考慮して比較的弱いものを選択することが好ましい。尚、粘着部８を設けないで実施する場合もある。
【００１７】
おむつ本体１の上端寄りの端縁近傍における外面シート３の表面には、おむつ本体１の端部を男性器官に当てて保持するための保持具１０がおむつ本体１の幅方向に沿って取り付けられている。この保持具１０は、塑性変形可能な材料で紐状又は帯板状に形成され、この場合はポリエチレンの溶融固化物を延伸して塑性変形性を付与した延伸物からなり、１８０度折り曲げてから１０分経過後の戻り角度が２０度以下であり、且つ９０度折り曲げてから１０分経過後の戻り角度が１５度以下になるまで延伸したものである。この延伸物としては、例えば三井化学株式会社製の糸状又は帯状塑性変形性ポリエチレン材料（特許第３５８２８５４号）を使用することができる。
【００１８】
上記保持具１０は、例えば長さ５０〜１８０ｍｍ、幅１〜１０ｍｍ、厚さ０．５〜４ｍｍであることが好ましく、より好ましくは長さ１２０〜１６０ｍｍ、幅３〜８ｍｍ、厚さ２〜３ｍｍである。又、外面シート３に対する保持具１０の取り付けは、接着剤又は両面接着テープを介して容易に行うことができる。尚、保持具１０はおむつ本体１の外面側に詳しくは外面シート３の表面に取り付ける他に、おむつ本体１の内面側に詳しくは内面シート２の表面に取り付け、或いはおむつ本体１の内部に詳しくは外面シート３と内面シート２との間に挟んで取り付けるようにしても良い。
【００１９】
本発明に係る男性用使い捨ておむつは上記の実施形態のように構成されており、図４及び図５を参照しながらその使用方法について説明する。図４は、男性用使い捨ておむつを男性器官に装着する時の状態を模式的に示しており、先ずおむつ本体１における保持具１０が取り付けられていない側の端縁部を外側に折り曲げて、中央吸収体部５の端縁がほぼ折り返しの稜線位置となるようにし、中央吸収体部５が内側となるようにして折曲端部を男性器官１１の裏側に当てて略半円弧状に丸める。この時、おむつ本体の１の両側部は、男性器官１１に当てた端部からおむつ本体１のほぼ中央部にかけて内側にそれぞれ折り返される。この両側部の折り返しは、男性器官１１に当てた端部近傍は大きく、おむつ本体１の中央部に向かって徐々に小さくなる。
【００２０】
次に、おむつ本体１における保持具１０が取り付けられている側の端部を内側に折り返して、図５に示すようにおむつ本体１をほぼ二つ折りにすると共に、その端縁部を男性器官１１の表側に当てて略半円弧状に丸める。この時、折り曲げた端部側の両側部は男性器官１１に当てた端部からおむつ本体１のほぼ中央部にかけて内側にそれぞれ折り返される。この折り返しは、男性器官１１に当てた端部近傍は大きく、おむつ本体１の中央部に向かって徐々に小さくなり、しかも上記先の折り返し部分に外側から重なって両側部が二重構造となる。
【００２１】
この後、端縁部において外面シート３の表面に設けられている前記保持具１０を男性器官１１の円周方向に沿って塑性変形させ、この保持具１０によりおむつ本体１の対向する略半円弧状端部を同時に押さえ込むようにして男性器官１１に巻き付けることでおむつ本体１を装着する。この時、保持具１０の長さが５０ｍｍ未満であると充分な巻き付けができず、１８０ｍｍを超えると巻き付けによる両端部が交差して邪魔になるため、長さは５０ｍｍ〜１８０ｍｍであることが好ましい。又、保持具１０の幅が１ｍｍ未満であると充分な保持力が得られず、１０ｍｍを超えると装着時に塑性変形し難くなるため、幅は１ｍｍ〜１０ｍｍの範囲内であることが好ましい。そして、保持具１０の厚さが０．５ｍｍ未満であると、装着後に変形し易くて保持力を維持できず、４ｍｍを超えると装着時に塑性変形し難くなるため、厚さは０．５ｍｍ〜４ｍｍの範囲内であることが好ましい。保持具１０の幅と厚さは、長さに関連して適宜設定するものとする。
【００２２】
このようにして、おむつ本体１を保持具１０を介して男性器官１１に装着すると、ほぼ筒形袋状の尿とりパッド１２を組み立てることができる。このパッド１２の前面側における外面シート３のほぼ中央部には前記粘着部８が位置しており、剥離紙９を剥がして粘着部８を露出させ、図示しない他のおむつ又は下着に貼着してパッド１２を固定する。尚、パッド１２は保持具１０を介して男性器官１１に保持されているため、必ずしも粘着部８により他のおむつ又は下着にパッド１２を貼着して固定する必要はない。
【００２３】
本実施形態におけるパッド１２は、従来のものとは異なって上端開口部が男性器官１１の円周方向に沿って当てられると共に、塑性変形可能な保持具１０により保持されているため男性器官１１の外れを抑えることができ、使用者の動きによって粘着部８が剥がれてパッド１２が移動しても、男性器官１１が外れるのを防ぐことができる。これにより、パッド１２内で尿受けを確実に行うことができる。
【００２４】
二つ折りにされたパッド１２の両側部は、前記のように内側への折り返し部分が互いに重なり合って二重構造になっており、且つその二重構造の内側部分において前記ギャザー状の横漏れ防止用の一対のガイドフラップ６が、二つ折り状態でそれぞれ二重構造を呈するため、パッド１２の両側部から尿漏れすることはない。
【００２５】
前記保持具１０は、男性器官１１に対して直接じかに接触するものではなく、二つ折りされたおむつ本体１の端部の上から巻き付けるものであるから、痛さを感じることはなく男性器官を傷付けることもない。又、おむつ本体１の使用者に大きな違和感を与えることはなく、邪魔になることもない。この保持具１０は塑性変形可能な材料で紐状又は帯板状に形成され、おむつ本体１の幅方向に沿って取り付けられているため、保持具１０の巻き付けに際して弱い力で簡単に変形させることができ、且つパッド１２の交換に際しては保持具１０を弱い力で簡単に変形を戻して開くことができる。これにより、おむつ本体１の装着及びパッド１２の交換作業を容易に行うことができ、取り扱い上便利である。
【００２６】
前記保持具１０の効果を確認するために、本発明に係る男性用使い捨ておむつと従来品（特許文献１記載に相当するもの）との比較テストを行った。この比較テストにおいて、おむつ本体はいずれも長さ４９０ｍｍ、幅２１０ｍｍのものを作製し、実施例１は長さ１００ｍｍ×幅４ｍｍ×厚さ２ｍｍの保持具を、実施例２は長さ１００ｍｍ×幅２ｍｍ×厚さ２ｍｍの保持具を、実施例３は長さ１５０ｍｍ×幅８ｍｍ×厚さ２ｍｍの保持具をそれぞれ取り付けたもので行った。同一人に装着して行ったテスト結果を表１に示す。
【００２７】
【表１】
2007159714.tif 000003
【００２８】
上記表１のテスト結果によると、本発明に係る実施例１ないし実施例３においては、いずれもパッドから男性器官が外れず、パッド内に尿受けすることができ、両側部からの尿漏れも無く、且つおむつ本体の装着がし易いとの評価が得られた。これにより、本発明に係る男性用使い捨ておむつは、保持具１０によるパッドの保持効果が充分得られることが判明した。これに対し、保持具なしの比較例ではパッドから男性器官が外れており、パッド内に尿受けすることができず、パッド外での尿漏れ現象が観察された。又、比較例のおむつ本体は、実施例１ないし実施例３のものに比べると、装着のし易さの点で多少劣るとの評価であった。
【産業上の利用可能性】
【００２９】
本発明は、男性用使い捨ておむつに利用することが可能であり、特に尿とりパッドとして良好に適用することができる。
【図面の簡単な説明】
【００３０】
【図１】本発明に係る男性用使い捨ておむつの実施形態を示すもので、（ａ）は内面側から見た平面図であり、（ｂ）は外面側から見た平面図である。
【図２】図１（ａ）におけるＸ−Ｘ線に沿った概略断面図である。
【図３】図１（ｂ）におけるＹ−Ｙ線に沿った概略断面図である。
【図４】本発明に係る男性用使い捨ておむつを男性器官に装着する時の状態を模式的に示す斜視図である。
【図５】本発明に係る男性用使い捨ておむつを男性器官に装着してパッドを組み立てた状態を模式的に示す斜視図である。
【符号の説明】
【００３１】
１  おむつ本体
２  内面シート
３  外面シート
４  液吸収体
５  中央吸収体部
６  ガイドフラップ
６ａ  伸縮部
７  弾性体
８  粘着部
９  剥離紙
１０  保持具
１１  男性器官
１２  パッド
【図１】
2007159714.tif 000004
【図２】
2007159714.tif 000005
【図３】
2007159714.tif 000006
【図４】
2007159714.tif 000007
【図５】
2007159714.tif 000008